(57)【特許請求の範囲】
【請求項１】
トナー画像を用紙に加熱定着させる定着装置が内部に設けられた装置本体の上部に連結保持部を介して画像読取部が保持され、前記定着装置により定着された用紙が用紙排出部から前記装置本体と画像読取部の間に形成される排紙エリアに排出され、前記排紙エリアの底面に設けられた排紙トレイ部に用紙が積載される画像形成装置において、
前記排紙エリアは、前記連結保持部の壁部と対向する側が開放されてなり、前記連結保持部の用紙排出部側に位置する壁部に吸気口が設けられ、前記用紙排出部から用紙と共に排出される空気を前記吸気口からフィルターを通して排気ファンで吸引させるようにし、排出される用紙における排紙エリアの開放側の端部が先に排紙トレイ部に接触するように、前記排紙トレイ部に用紙案内部を設けたことを特徴とする画像形成装置。
【請求項２】
請求項１に記載の画像形成装置において、前記吸気口は、前記用紙排出部より上側に設けられていることを特徴とする画像形成装置。
【請求項３】
請求項１又は請求項２に記載の画像形成装置において、前記吸気口は、前記用紙排出部側から用紙の排出方向に向かうように形成されていることを特徴とする画像形成装置。
【請求項４】
請求項１〜請求項３のいずれか１項に記載の画像形成装置において、前記用紙案内部として、排紙トレイ部に排出された用紙が当接される用紙当接面が前記開放側に比べて壁部側が低くなるように勾配を設けたことを特徴とする画像形成装置。
【請求項５】
請求項１〜請求項４のいずれか１項に記載の画像形成装置において、前記排紙トレイ部の壁部側に用紙揃えガイドが設置されていることを特徴とする画像形成装置。
【請求項６】
請求項５に記載の画像形成装置において、前記用紙揃えガイドに通気窓が設けられていることを特徴とする画像形成装置。
【発明の詳細な説明】
【技術分野】
【０００１】
本発明は、複写機、ファクシミリ及びこれらの複合機に用いられる画像形成装置に関するものである。特に、トナー画像を用紙に加熱定着させる定着装置が内部に設けられた装置本体の上部に連結保持部を介して画像読取部が保持され、前記定着装置で定着された用紙が用紙排出部から前記装置本体と画像読取部の間に形成される排紙エリアに排出され、前記排紙エリアの底面に設けられた排紙トレイ部に用紙が積載される画像形成装置において、前記用紙排出部から用紙と共に排出された空気を吸引し、排出された空気に含まれている揮発性有機化合物（Ｖｏｌｉｔｉｌｅ  Ｏｒｇａｎｉｃ  Ｃｏｍｐｏｕｎｄ  ：以下、ＶＯＣと略記する。）などの超微粒子（Ｕｌｔｒａｆｉｎｅ  Ｐａｒｔｉｃｌｅ  ：以下、ＵＦＰと略記する。）を捕集して外部への放出をなくすようにした点に特徴を有するものである。
【背景技術】
【０００２】
複写機、ファクシミリ及びこれらの複合機に用いられる画像形成装置においては、装置本体内においてトナー画像が形成された用紙を定着装置に導き、この定着装置によって用紙にトナー画像を加熱定着させた後、この用紙を装置本体内から排紙させるようにしている。
【０００３】
ここで、前記のような画像形成装置においては、トナーに配合されている樹脂成分などが、用紙にトナー画像を加熱定着させる定着装置において高温に加熱されて蒸発することにより、ＶＯＣが発生する。このＶＯＣは、人体に悪影響を及ぼすことがあり、また、その臭気が人に不快感を与えてしまうという問題がある。また、定着装置に用いられるシリコーンゴムは、１６０℃以上になると環状シロキサンが発生する。そして、ＶＯＣを含めた超微粒子（ＵＦＰ）が健康への影響因子として問題となっている。
【０００４】
従来、画像形成装置内で発生するＶＯＣを含めたＵＦＰを除去するために、装置本体内部にフィルターと排気ファンとで構成されるガス除去手段を介して空気を外部に排出することが知られている。
【０００５】
しかしながら、装置本体内部で発生したＵＦＰを完全に除去することは難しく、装置本体内部にＵＦＰが残り、残ったＵＦＰが用紙と共に外部に排出される。
【０００６】
そして、このように外部に排出されたＵＦＰは臭気としてユーザに不快感も与えることになる。このため、特許文献１においては、排紙トレイ部に排出される臭気によってユーザが感じる不快感を低減する技術が提案されている。
【０００７】
ここで、特許文献１に開示されている画像形成装置は、用紙に形成されたトナー像を加熱させて用紙に定着させる定着部と、前記定着部を内部に収容する筺体と、前記筺体の外側に設けられ、前記定着部によってトナー像が定着された用紙が前記筺体の内部から排出される排紙受部とを備え、前記筺体の正面側においてユーザが操作可能な画像形成装置であって、前記筺体の正面側において、前記用紙と共に排出された臭気を、筺体内部から排紙受部への用紙の排出方向に沿って送風機で送風して拡散するように構成したものである。
【０００８】
ここで、この画像形成装置は、排紙受部に用紙が排出された際に、その用紙と共に排出された臭気を拡散させて、ユーザが感じる不快感を低減するものである。
【０００９】
しかしながら、前記画像形成装置においては、用紙と一緒に排出された臭気、すなわち、ＵＦＰは周囲に拡散されて放出されることになる。近年の環境意識の高まりによって、定着部で発生するＵＦＰの排出を低減することが望まれているが、前記の特許文献１のものにおいては、ＵＦＰを含んだ空気が周囲に拡散されるという問題が依然として存在した。
【先行技術文献】
【特許文献】
【００１０】
【特許文献１】特開２０１５−１１２１５号公報
【発明の概要】
【発明が解決しようとする課題】
【００１１】
本発明は、トナー画像が形成された用紙を定着装置に導き、この定着装置によって用紙にトナー画像を加熱定着させた後、この用紙を装置本体内から排紙させるようにした画像形成装置においては、装置本体から用紙と共に排出される空気に含まれるＵＦＰを装置の外部に拡散することなく捕集し、ＵＦＰの外部への放出量を減少させることを課題とする。
【課題を解決するための手段】
【００１２】
本発明の画像形成装置においては、前記のような課題を解決するため、トナー画像を用紙に加熱定着させる定着装置が内部に設けられた装置本体の上部に連結保持部を介して画像読取部が保持され、前記定着装置で定着された用紙が用紙排出部から前記装置本体と画像読取部の間に形成される排紙エリアに排出され、前記排紙エリアの底面に設けられた排紙トレイ部に用紙が積載される画像形成装置において、前記排紙エリアは、前記連結保持部の壁部と対向する側が開放されてなり、前記連結保持部の用紙排出部側に位置する壁部に吸気口が設けられ、前記用紙排出部から用紙と共に排出される空気を前記吸気口からフィルターを通して排気ファンで吸引させるようにし、排出される用紙における排紙エリアの開放側の端部が先に排紙トレイ部に接触するように、前記排紙トレイ部に用紙案内部を設けるように構成している。
【００１３】
このように、連結保持部の壁部に、前記用紙排出部から排出される用紙と共に排出された空気を吸引する吸気口を設け、この吸気口からフィルターを通して前記空気を排気ファンで吸引することで、前記用紙排出部から用紙と共に排出されるＵＦＰを含む空気を吸気口から吸引して、ＵＦＰをフィルターで吸着して除去し、除去された空気を外部に放出することで、ＵＦＰの外部への拡散量が抑制されることになる。
【００１４】
また、本発明の画像形成装置においては、前記のように排紙エリアにおける前記連結保持部の壁部と対向する側を開放させるようにし、排出される用紙における排紙エリアの開放側の端部が先に排紙トレイ部に接触するように、前記排紙トレイ部に用紙案内部を設けるようにしている。
【００１５】
また、前記吸気口は、前記用紙排出部より上側に設けることが好ましく、さらに、前記吸気口は、前記用紙排出部側から用紙の排出方向に向かうように形成することが好ましい。
【００１７】
そして、前記用紙案内部としては、排紙トレイ部に排出された用紙が当接される用紙当接面が前記開放側に比べて壁部側が低くなるように勾配を設けるようにすることができる。この場合、前記排紙トレイ部の壁部側において用紙の端部を揃えるように、排紙トレイ部の壁部側に用紙揃えガイドを設置することができ、さらに、この用紙揃えガイドに通気窓を設けるようにすることができる。
【発明の効果】
【００１８】
本発明の画像形成装置においては、前記のように装置本体の上部に画像読取部を保持させる連結保持部の用紙排出部側における壁部に吸気口を設け、前記用紙排出部から排出される用紙と共に排出される空気を前記吸気口からフィルターを通して排気ファンで吸引するようにしたため、前記用紙排出部から用紙と共に排出されるＵＦＰを含む空気はこの吸気口から吸引され、この空気に含まれるＵＦＰかフィルターにより吸着されて除去された状態で外部に放出されるようになり、ＵＦＰか外部に拡散されて放出されるのが抑制され、画像形成装置からのＵＦＰの排出量を低減することが可能となる。
【図面の簡単な説明】
【００１９】
【図１】本発明の実施（参考）形態に係る画像形成装置において、記録媒体にトナー画像を形成する状態を示した概略説明図である。
【図２】前記の第１の実施（参考）形態に係る画像形成装置の概略斜視図である。
【図３】前記の第１の実施（参考）形態に係る画像形成装置を用紙排出側から見た概略説明図である。
【図４】本発明の第２の実施形態に係る画像形成装置を示した概略斜視図である。
【図５】前記の第２の実施形態に係る画像形成装置を用紙排出側から見た概略説明図である。
【図６】前記の第２の実施形態に係る画像形成装置を用紙排出側から見た概略説明図である。
【図７】前記の第２の実施形態に係る画像形成装置を用紙排出側から見た概略説明図である。
【図８】本発明の第３の実施形態に係る画像形成装置を用紙排出側から見た概略説明図である。
【図９】本発明の第４の実施形態に係る画像形成装置を示した概略斜視図である。
【図１０】本発明の第５の実施形態に係る画像形成装置を用紙排出側から見た概略説明図である。
【図１１】本発明の第６の実施形態に係る画像形成装置を示した概略斜視図である。
【図１２】本発明の第７の実施形態に係る画像形成装置を示した概略斜視図である。
【図１３】本発明の第８の実施形態に係る画像形成装置を用紙排出側から見た概略説明図である。
【発明を実施するための形態】
【００２０】
次に、本発明の実施（参考）形態に係る画像形成装置を添付図面に基づいて具体的に説明する。なお、本発明に係る画像形成装置は、下記の実施（参考）形態に示したものに限定されず、その要旨を変更しない範囲において適宜変更して実施できるものである。
【００２１】
本発明の実施（参考）形態の画像形成装置１においては、図１及び図２に示すように、その装置本体１０の上に画像読取部２が設けられ、前記の画像読取部２が装置本体１０に連結保持部３を介して保持され、この装置本体１０と画像読取部２との間に排紙エリア３０が形成されている。
【００２２】
ここで、この排紙エリア３０においては、前記連結保持部３の用紙排出部１６側の壁部３１と対向する側が開放されている。すなわち、用紙排出部１６から排出される用紙Ｓの方向と直交する方向の前方側が開放され、背面側が連結保持部３の壁部３１になっている。この排紙エリア３０にトナー画像が形成された用紙Ｓが排出される。
【００２３】
また、排紙エリア３０の底面部には、排出された用紙Ｓが積載される排紙トレイ部３２が形成されている。
【００２４】
そして、この画像形成装置１においては、用紙Ｓにトナー画像を形成するにあたり、装置本体１０の下部に設けられた給紙カセット１１に用紙Ｓを収容させ、この用紙Ｓを給紙ローラー１２によって給紙カセット１１から給紙し、このように給紙した用紙Ｓを一対のレジストローラー１３間に導き、このレジストローラー１３によって適当なタイミングで前記の用紙Ｓを画像形成部２０に送るようにしている。
【００２５】
ここで、前記の画像形成部２０においては、感光体からなる像担持体２１と、この像担持体２１の表面を帯電させる帯電装置２２と、帯電された像担持体２１の表面に画像情報に基づく露光を行って静電潜像を形成する潜像形成装置２３と、像担持体２１の表面に形成された静電潜像にトナーを供給してトナー画像を形成する現像装置２４等を備えた４つのイメージングカートリッジ２０Ａ〜２０Ｄを設けている。
【００２６】
また、前記の各イメージングカートリッジ２０Ａ〜２０Ｄにおける各現像装置２４においては、黒色，黄色，マゼンダ色，シアン色の異なった色彩のトナーが収容されており、各イメージングカートリッジ２０Ａ〜２０Ｄにおける各像担持体２１の表面に形成された静電潜像に、前記の各現像装置２４からそれぞれの色彩のトナーを供給して、各像担持体２１の表面にそれぞれの色彩のトナー画像を形成するようにしている。
【００２７】
そして、このように各イメージングカートリッジ２０Ａ〜２０Ｄにおける各像担持体２１の表面に形成された各色彩のトナー画像を、回転駆動される中間転写ベルト２５に転写させて、この中間転写ベルト２５の上に各色彩のトナー画像が合成されたトナー画像を形成するようにしている。
【００２８】
次いで、このように中間転写ベルト２５の上に形成されたトナー画像を転写ローラー２６の位置に導く一方、前記のレジストローラー１３により用紙Ｓを前記の中間転写ベルト２５と転写ローラー２６との間に導き、中間転写ベルト２５の上に形成されたトナー画像をこの用紙Ｓに転写させ、このようにトナー画像が転写された用紙Ｓを定着装置２７に導くようにしている。
【００２９】
そして、この定着装置２７により、用紙Ｓに転写されたトナー画像を用紙Ｓに加熱定着させた後、用紙Ｓを排紙ローラー１５に導き、この排紙ローラー１５により用紙排出部１６を通してトナー画像が定着された用紙Ｓを前記の排紙エリア３０に排紙させ、排紙トレイ部３２上に用紙Ｓが積載されるようにしている。
【００３０】
このようにして、トナー画像が定着された用紙Ｓを用紙排出部１６から排紙エリア３０に排出させると、この用紙Ｓと共にＶＯＣ等のＵＦＰを含む空気が排紙エリア３０に放出される。
【００３１】
そして、この第１の実施（参考）形態においては、放出されるＵＦＰを外部に拡散しないように、用紙Ｓと共に放出される空気を吸引するための吸気口３３を連結保持部３の壁部３１に設けている。また、この吸気口３３から空気を吸引して外部へ放出するために、図３に示すように、フィルター３４と排気ファン３５が吸気口３３にダクト３３ａを介して連結保持部３の背面側の装置本体１０に設けられている。なお、このフィルター３４は、ＶＯＣ等のＵＦＰを吸着する機能を有する。
【００３２】
そして、用紙Ｓと共に放出されたＵＦＰを含む空気を吸気口３３から吸引し、空気に含まれるＵＦＰをフィルター３４により吸着して除去し、ＵＦＰが除去された空気を外部に放出させるようにし、ＵＦＰが外部に放出されて拡散される量を抑制するようにしている。
【００３３】
ここで、前記の吸気口３３は、用紙排出部１６の近傍から用紙Ｓの排出方向に延びるようにし、上下方向より用紙Ｓの排出方向の方が長い矩形形状に形成されている。また、この実施形態においては、用紙排出部１６より上方に吸気口３３を設けている。このように用紙排出部１６より上方に吸気口３３を設けることで、用紙排出部１６から排出された用紙Ｓと共に排出された空気をなるべく早く吸引するように構成している。
【００３４】
そして、吸気口３３を使用する用紙Ｓの排出方向の最大長さに対応した長さに形成すると、用紙Ｓと共に排出される空気を排出方向に沿って吸引することができ、用紙Ｓに沿って移動する空気を効率よく吸引できる。
【００３５】
前記した排気ファン３５は、画像形成装置１の印字動作が開始すると、駆動を開始し、吸気口３３から空気の吸引を開始し、印字が終了すると、所定時間経過後に駆動を停止する。また、印字が終了して、用紙Ｓが排紙トレイ部３２に排出された後、所定時間は排気ファン３５を駆動させて、排紙エリア３０の空気を吸引し、用紙Ｓと共に放出されたＵＦＰを含んだ空気を確実に吸引するようにしている。
【００３６】
この第１の実施（参考）形態における画像形成装置においては、前記の装置本体１０と画像読取部２との間に形成される連結保持部３の壁部３１に吸気口３３を設け、この吸気口３３を通して用紙Ｓと共に排出される空気を吸引するようにしているため、排紙ローラー１５などの排紙部の機構が存在しない箇所に、吸気口３３、ダクト３３ａ、フィルター３４、排気ファン３５を配置することができる。このため、前記の吸気口３３を大きくして、空気の吸引を多くすることも容易に対応でき、用紙Ｓと共に排出された空気を確実に吸引し、フィルター３４でＵＦＰを捕集することができるようになる。
【００３７】
次に、この発明の第２の実施形態における画像形成装置を、図４〜図７に基づいて説明する。
【００３８】
ここで、前記の第１の実施（参考）形態のものにおいては、用紙排出部１６から排紙エリア３０に用紙Ｓが排出される際に、壁部３１の側だけでなく開放側にも空気が押し出され、排紙エリア３０から空気が漏れることがある。そして、この第２の実施形態においては、開放側からの空気の漏れを減らすため、用紙Ｓの排紙エリア３０の開放側が先に排紙トレイ部３２に接触するように排紙トレイ部３２に用紙案内部３２ａを設けるようにしている。
【００３９】
ここで、図４〜図７に示すものにおいては、用紙案内部３２ａとして、排紙トレイ部３２に排出された用紙Ｓが当接される用紙当接面を、排紙エリア３０における開放側に比べて壁部３１の側が低くなるように勾配を設けようにしている。なお、この勾配の角度は、１０〜３０°程度である。
【００４０】
このようにすると、図５及び図６に示すように、この用紙案内部３２ａの勾配により、排紙エリア３０において高くなった開放側の排紙トレイ部３２の部分に、用紙Ｓの開放側の端部が先に接触し、その後、低くなった壁部３１側の排紙トレイ部３２部分に、壁部３１側における用紙Ｓの端部が接触するようになる。すなわち、用紙排出部１６から排紙された用紙Ｓは、排紙トレイ部３２に形成された用紙案内部３２ａの勾配により、排紙トレイ部３２の開放側から壁部３１側に倒れ込むことになる。
【００４１】
この結果、用紙Ｓと共に排出されたＵＦＰを含む空気は、排紙エリア３０の開放側には押し出されずに壁部３１側へ向かうように流れ、ＵＦＰを含む空気が壁部３１側に設けられた前記の吸気口３３に効率よく吸引され、この空気に含まれるＵＦＰが前記のフィルター３４に効率よく吸着されて除去されるようになる。
【００４２】
そして、次の用紙Ｓが用紙排出部１６から排出されると、図７に示すように、排紙トレイ部３２の勾配に沿って載置された先の用紙Ｓの上に、次の用紙Ｓが同様にして積載されるようになり、この次の用紙Ｓと共に排出されたＵＦＰを含む空気は、先の用紙Ｓの場合と同様にして、前記の吸気口３３に効率よく吸引され、この空気に含まれるＵＦＰが前記のフィルター３４に効率よく吸着されて除去されるようになる。
【００４３】
なお、前記の吸気口３３は、第１の実施（参考）形態の場合と同様に、用紙排出部１６より上方の位置において、この用紙排出部１６の近傍から用紙Ｓの排出方向に延びるようにして、上下方向より用紙Ｓの排出方向の方が長い矩形形状に形成されている。
【００４４】
また、図８に示す第３の実施形態においては、前記の第２の実施形態において、前記の吸気口３３を、用紙排出部１６より上方の位置と下方の位置との両方の位置において、用紙排出部１６の近傍から用紙Ｓの排出方向に延びるように設けている。このようにすると、用紙排出部１６より上方の位置と下方の位置とに設けられた各吸気口３３を通して、ＵＦＰを含む空気が効率よく吸引されるようになる。
【００４５】
また、図９に示す第４の実施形態においては、勾配を有する排紙トレイ部３２の壁部３１側に用紙揃えガイド３６を設けている。ここで、この用紙揃えガイド３６は、壁部３１から少し離れた位置で、壁部３１側の用紙排出部１６の略真下から用紙排出方向に延びて設置されている。そして、この用紙揃えガイド３６には、空気が通過する複数の通気窓３６ａが設けられている。
【００４６】
そして、この用紙揃えガイド３６に用紙排出部１６から排出された用紙Ｓにおける壁部３１側の端部が接触されて、排紙トレイ部３２に排出された用紙Ｓが用紙揃えガイド３６に沿って揃えられると共に、用紙Ｓと共に排出されたＵＦＰを含む空気は、前記の通気窓３６ａを通り抜けて吸気口３３に吸引されるようになる。なお、図９に示す例では、矩形になった通気窓３６ａを複数並列して設けているが、通気窓３６ａはこのようなものに限定されず、網目状、丸孔などであってもよい。また、通気窓３６ａの大きさは、用紙Ｓがばらばらになってスタック性が落ちない大きさにすることが好ましい。
【００４７】
また、前記のように排紙エリア３０の開放側に比べて、壁部３１側が低くなる勾配を持たせている排紙トレイ部３２において、壁部３１側に、用紙揃えガイド３６を設けると、勾配を持つ排紙トレイ部３２に、用紙Ｓが排紙された場合に、用紙Ｓを所定の位置にスタックすることが可能となる。
【００４８】
また、壁部３１側に設置された用紙揃えガイド３６は、壁部３１に対する距離を自在に変更できるように排紙トレイ部３２に移動可能に設けるようにすることもできる。そして、用紙Ｓの種類や厚みに応じて、壁部３１に対する用紙揃えガイド３６の位置を変更させ、用紙排出部１６から用紙Ｓと共に排出されるＵＦＰを含んだ空気が最も効率よく吸気口３３へ向かう距離に設定することができる。
【００４９】
次に、図１０に示す第５の実施形態においては、前記のように排紙エリア３０の開放側に比べて壁部３１側が低くなるように、排紙トレイ部３２に勾配を設けたものにおいて、排紙エリア３０の開放側における排紙トレイ部３２に上方に向けてテーパー状に突出されたテーパー部３２ｂを設け、このテーパー部３２ｂによって排紙エリア３０の開放側において用紙排出部１６と排紙トレイ部３２とを近接させている。
【００５０】
このようにすると、用紙排出部１６から排出された用紙Ｓがテーパー部３２ｂに沿って壁部３１側に送られて、用紙Ｓが用紙排出部１６と排紙トレイ部３２との間で詰まるのが防止されると共に、用紙排出部１６から用紙Ｓと共に排出されるＵＦＰを含んだ空気が、排紙エリア３０の開放側における用紙排出部１６と排紙トレイ部３２との間から空気が漏れ出るのを極力防止できるようになる。
【００５１】
また、図１１に示す第６の実施形態においては、用紙Ｓの排紙エリア３０の開放側が先に排紙トレイ部３２に接触するように、排紙トレイ部３２に用紙案内部として、突起３２ｃを設けるようにしている。ここで、この突起３２ｃは、排紙トレイ部３２の上において、用紙排出部１６から数ｃｍ離れた壁部３１側の位置に設けている。また、突起３２ｃは、用紙排出部１６から用紙Ｓが排出されるのを阻害しないような高さになっており、用紙Ｓの壁部３１の側の端部が当接する位置に設けるようにしている。
【００５２】
そして、このような突起３２ｃを設けると、用紙排出部１６から排紙された用紙Ｓは、排紙エリア３０の開放側が下になるように斜めに排出され、用紙Ｓの排紙エリア３０の開放側が先に排紙トレイ部３２に接触し、その後、排紙トレイ部３２の壁部３１側に用紙Ｓが倒れ込むようになる。
【００５３】
この結果、前記の実施形態２等の場合と同様に、用紙Ｓと共に排出されたＵＦＰを含む空気は、排紙エリア３０の開放側には押し出されずに壁部３１側へ向かうように流れ、ＵＦＰを含む空気が壁部３１側に設けられた前記の吸気口３３に効率よく吸引され、この空気に含まれるＵＦＰが前記のフィルター３４に効率よく吸着されて除去されるようになる。
【００５４】
また、図１２に示す第７の実施形態においては、用紙Ｓの排紙エリア３０の開放側が先に排紙トレイ部３２に接触するように、排紙トレイ部３２に用紙案内部として、凹所３２ｄを設けるようにしている。ここで、この凹所３２ｄを設けるにあたっては、排紙トレイ部３２における壁部３１側において、用紙排出部１６から用紙排出に影響がない大きさと深さになるようにして凹みを設けるようにしている。
【００５５】
そして、このような凹所３２ｄを設けると、用紙排出部１６から排紙トレイ部３２に排出された用紙Ｓは、用紙Ｓの排紙エリア３０の開放側が先に排紙トレイ部３２に接触し、その後、用紙Ｓの後端の壁部３１側が凹所３２ｄに落ち込むようにして、排紙トレイ部３２の壁部３１側に用紙Ｓが倒れ込むようになる。
【００５６】
この結果、前記の実施形態２等の場合と同様に、用紙Ｓと共に排出されたＵＦＰを含む空気は、排紙エリア３０の開放側には押し出されずに壁部３１側へ向かうように流れ、ＵＦＰを含む空気が壁部３１側に設けられた前記の吸気口３３に効率よく吸引され、この空気に含まれるＵＦＰが前記のフィルター３４に効率よく吸着されて除去されるようになる。
【００５７】
また、図１３に示す第８の実施形態においては、用紙Ｓの排紙エリア３０の開放側が先に排紙トレイ部３２に接触するように、前記の用紙排出部１６を、排紙エリア３０の開放側が低く、壁部３１側が高くなるように斜めに設けている。
【００５８】
このように、用紙排出部１６を斜めに設けると、用紙排出部１６から排紙された用紙Ｓは、排紙エリア３０の開放側が下になるように斜めに排出され、用紙Ｓの排紙エリア３０の開放側が先に排紙トレイ部３２に接触し、その後、排紙トレイ部３２の壁部３１側に用紙Ｓが倒れ込むようになる。
【００５９】
この結果、前記の実施形態２等の場合と同様に、用紙Ｓと共に排出されたＵＦＰを含む空気は、排紙エリア３０の開放側には押し出されずに壁部３１側へ向かうように流れ、ＵＦＰを含む空気が壁部３１側に設けられた前記の吸気口３３に効率よく吸引され、この空気に含まれるＵＦＰが前記のフィルター３４に効率よく吸着されて除去されるようになる。
【符号の説明】
【００６０】
１      ：画像形成装置
２      ：画像読取部
３      ：連結保持部
１０    ：装置本体
１１    ：給紙カセット
１２    ：給紙ローラー
１３    ：レジストローラー
１５    ：排紙ローラー
１６    ：用紙排出部
２０    ：画像形成部
２７    ：定着装置
３０    ：排紙エリア
３１    ：壁部
３２    ：排紙トレイ部
３２ａ  ：用紙案内部
３２ｃ  ：突起
３２ｄ  ：凹所
３３、３３ｂ    ：吸気口
３３ａ  ：ダクト
３４    ：フィルター
３５    ：排気ファン
３６    ：用紙揃えガイド
３６ａ  ：通気窓
【図１】
0006540342.tif 000002
【図２】
0006540342.tif 000003
【図３】
0006540342.tif 000004
【図４】
0006540342.tif 000005
【図５】
0006540342.tif 000006
【図６】
0006540342.tif 000007
【図７】
0006540342.tif 000008
【図８】
0006540342.tif 000009
【図９】
0006540342.tif 000010
【図１０】
0006540342.tif 000011
【図１１】
0006540342.tif 000012
【図１２】
0006540342.tif 000013
【図１３】
0006540342.tif 000014